(57)【要約】【課題】ロック部を正規の固縛位置に配置させることができ、作製精度の緩和を図りつつ基台上に載置物を確実に固縛することができるツイストロック装置を提供する。【解決手段】基台Ａにツイストロック３が設けられ、ツイストロック３は、基台Ａに回動自在に支持された軸部３１と、軸部３１の一端に設けられたロック部３２とからなり、基台Ａ上に載置物を載置した際に、この載置物に設けられた被係止部Ｂにロック部３２が軸部３１の回動動作によって係脱することで、基台Ａ上で載置物を固縛するとともにその固縛を解除するツイストロック装置１において、基台Ａにボス２が螺入されるとともに、ボス２にツイストロック３の軸部３１が回転方向には一体的に且つ軸方向には摺動自在に挿入され、さらに、軸部３１の他端とボス２との間にはバネ部材４がその付勢力に抗して軸部３１がロック部３２側に所定距離だけ移動可能なように介装されている。【選択図】  図１
2006111078.tif 000002
【特許請求の範囲】
【請求項１】
基台にツイストロックが設けられ、該ツイストロックは、基台に回動自在に支持された軸部と、この軸部の一端に設けられたロック部とからなり、基台上に載置物を載置した際に、この載置物に設けられた被係止部に上記ロック部が軸部の回動動作によって係脱することで、基台上で載置物を固縛するとともにその固縛を解除するツイストロック装置において、
前記基台にボスが螺入されるとともに、このボスに前記ツイストロックの軸部が回転方向には一体的に且つ軸方向には摺動自在に挿入され、さらに、軸部の他端とボスとの間にはバネ部材がその付勢力に抗して軸部がロック部側に所定距離だけ移動可能なように介装されたことを特徴とするツイストロック装置。
【発明の詳細な説明】
【技術分野】
【０００１】
本発明は、基台上に載置されるコンテナや架台などの載置物を当該基台上で安定的に固縛するためのツイストロック装置に関する。
【背景技術】
【０００２】
従来のツイストロック装置としては、基台に回動自在に支持された軸部と、この軸部の一端に設けられたロック部とからなるツイストロックが基台に設けられ、基台上に載置物を載置した際に、この載置物に設けられた被係止部に上記ロック部が軸部の回動動作によって係脱することで、基台上で載置物を固縛するとともにその固縛を解除するようになされていた。
【０００３】
具体的には、基台上での載置物の固縛は、被係止部の被係止面と対峙するロック部の係止面を当該被係止面上を摺接しながら回動させて、このロック部を正規な固縛位置に回動配置することによって行っている（例えば、特許文献１参照。）。
【特許文献１】特開平１０−２２６２７０号公報
【発明の開示】
【発明が解決しようとする課題】
【０００４】
しかしながら、上記従来のツイストロック装置では、例えばロック部の係止面と被係止部の被係止面との間の隙間の誤差や、係止面や被係止面に凹凸などがあって、ロック部が回動途中の位置で被係止面に噛み込んでしまってそれ以上回動させることができなくなる場合があり、この場合にはその抵抗に勝る力がないとロック部を正規の固縛位置まで配置することができない。このようにロック部を正規の固縛位置に配置できないと固縛の安定性が低下することから、この状態で移送などを行うと危険であった。
【０００５】
また、ツイストロックの軸部を基台に螺入しているタイプのものもあるが、このタイプのものでは軸部の回動に伴ってロック部が被係止面側に移動するため、僅かな誤差や凹凸によってもロック部が回動途中の位置で被係止面に噛み込んでしまうことが生じる。
【０００６】
このため、従来のツイストロック装置では被係止部と共に、寸法や仕上げ面に高い精度が要求され、これが作製費の高騰を招く大きな要因になっていた。
【０００７】
本発明は、上記問題点に鑑みてなされたもので、その目的とするところは、ロック部と被係止面との間の隙間の誤差や、係止面や被係止面に凹凸などが多少あっても、これを吸収しながらロック部を正規の固縛位置に確実に配置させることができ、作製精度の緩和を図りつつ基台上に載置物を安定的に固縛することができるツイストロック装置を提供することにある。
【課題を解決するための手段】
【０００８】
上記の目的を達成するため、請求項１に係る発明のツイストロック装置は、基台にツイストロックが設けられ、該ツイストロックは、基台に回動自在に支持された軸部と、この軸部の一端に設けられたロック部とからなり、基台上に載置物を載置した際に、この載置物に設けられた被係止部に上記ロック部が軸部の回動動作によって係脱することで、基台上で載置物を固縛するとともにその固縛を解除するツイストロック装置において、前記基台にボスが螺入されるとともに、このボスに前記ツイストロックの軸部が回転方向には一体的に且つ軸方向には摺動自在に挿入され、さらに、軸部の他端とボスとの間にはバネ部材がその付勢力に抗して軸部がロック部側に所定距離だけ移動可能なように介装されたものである。
【発明の効果】
【０００９】
本発明によれば、ロック部と被係止面との間の隙間の誤差や、係止面や被係止面に凹凸などが多少あっても、これを吸収しながらロック部を正規の固縛位置に確実に配置させることができ、これにより作製精度の緩和を図りつつ基台上に載置物を安定的に固縛することができる。
【発明を実施するための最良の形態】
【００１０】
以下、本発明の実施の形態について図面を参照して説明する。
【００１１】
図１は、本発明のツイストロック装置を示している。
【００１２】
ツイストロック装置１は、基台Ａの適所に設けられており、この基台Ａ上に載置した載置物を安定的に固縛するためのものである。
【００１３】
上記基台Ａは、例えば車輌に載置物を搭載する場合には当該車輌のシャーシフレームなどを利用して構成されている。また、後述するようなツイストロック装置１を備えた基台構成にすることで、貨物列車や船舶などへ載置物を搭載する際にも利用することができる他、地上等に載置物を安定的に固縛する際にも利用することができる。
【００１４】
また、載置物としては、荷物を収容するコンテナや、各種の作業機器を搭載した架台など後述するようなツイストロックが係止する被係止部を備えたものであればどのようなものであってもよい。
【００１５】
以下、ツイストロック装置１の具体的な構成について説明する。
【００１６】
基台Ａは、例えば載置物としてコンテナのような矩形状のものを載置する場合には、これに合わせて矩形状に形成され、その前後両側に固設された取付ブロックＡ１にツイストロック装置１を設けている。また、コンテナの底部にはツイストロック装置１に合わせて被係止部Ｂを設けている。
【００１７】
ツイストロック装置１は、上記取付ブロックＡ１に螺入されたボス２と、ボス２に挿入されたツイストロック３と、ツイストロック３を図１において軸方向下方に付勢するバネ４とを備えている。
【００１８】
ボス２は、取付ブロックＡ１に形成された取付孔Ａ２に螺入されている。つまり、ボス２の外周に雄ねじが形成されるとともに、取付孔Ａ２には雄ねじに対応する雌ねじが形成されている。
【００１９】
ツイストロック３は、軸部３１と、この軸部３１の一端（図１においては上端）に形成されたロック部３２とからなり、軸部３１の下端部分が前記ボス２のボス孔２１に挿入されている。
【００２０】
軸部３１の下端部分には、図２及び図３に示すようにキー溝３３が例えば対称位置に２カ所設けられており、このキー溝３３とボス２に形成された図示しないキー溝とをキー（図示省略）を介して連結している。また、ボス２のキー溝は、軸方向に両端に亘って形成されている。
【００２１】
このようにキーを介してボス２に軸部３１の下端部分を挿入することで、ボス２と軸部３１とは回動方向にはキーによって一体的に回転し、また軸方向にはキーがボス２のキー溝をスライドすることでボス２に対して軸部３１が摺動するようになされている。
【００２２】
また、軸部３１の途中部にはフランジ３４が設けられている。このフランジ３４は、被係止部Ｂの厚みに合わせてロック部３２から所定長さ隔てた位置に設けられている。
【００２３】
そして、軸部３１のフランジ３４下方には操作レバー５を連結する連結部３５が形成されており、操作レバー５を手動やアクチュエータなどで回動操作することで軸部３１を左右に回動させ、これによりロック部３２を固縛位置と固縛解除位置とに配置するようにしている。
【００２４】
ロック部３２は、所定の厚みを有する略三角形状に形成されており、この三角形状の底辺に相当する部位が被係止部Ｂの被係止面（上面）と対峙する係止面３２ａになされている。
【００２５】
一方、被係止部Ｂには、ロック部３２が挿通可能なように当該ロック部３２の平面形状と同様な形状の挿通孔Ｂ１が形成されており、この挿通孔Ｂ１にロック部３２を挿通させて被係止部Ｂを配置した後、ロック部３２を９０度回動させることで当該ロック部３２が固縛位置に配置される。また、ロック部３２を元の位置まで９０度逆方向に回動させることで挿通孔Ｂ１にロック部３２を挿通させた状態になり、これが固縛解除位置になる。
【００２６】
バネ部材４は、前記ボス２と軸部３１の他端（下端）との間に設けられている。具体的には、軸部３１の他端にはボルト３６が螺入されており、このボルト３６とボス２の端部（下端部）との間にバネ部材４が軸部３１を挿通した状態で配置されている。このバネ部材４は、ロック部３２をボス２側に移動させる方向に付勢しており、このようにバネ部材４によって付勢された状態でロック部３２が被係止部Ｂに係脱する通常の位置に配置される。また、このバネ部材４の付勢力に抗することで当該バネ部材４の撓んだ分だけロック部３２をボス２から離間する上方に移動させることができる。
【００２７】
つまり、バネ部材４はその付勢力に抗して軸部３１がロック部３２側に所定距離だけ移動可能なように介装されている。
【００２８】
バネ部材４としては、例えば図示例のような２枚のコーンディスク４１を上下逆方向に重ね合わせたものが用いられている。
【００２９】
次に、このように構成されたツイストロック装置１により載置物を固縛する場合の動作について説明する。
【００３０】
まず、ツイストロック３のロック部３２に被係止部Ｂの挿通孔Ｂ１を挿通させて載置物を基台Ａ上に配置する。
【００３１】
この状態で操作レバー５を回動操作してツイストロック３の軸部３１を回動させることで、ロック部３２を９０度回動させて固縛位置に配置し、これによって基台Ａ上に載置物を固縛する。
【００３２】
この際、軸部３１の回動に伴ってボス２も同様に回動することから、ボス２が取付ブロックＡ１に対してねじ込まれることになりこのねじ込み量に相当する分だけボス２が下方に移動する。これにより軸部３１及びロック部３２も同様に下方に移動し、この作用でロック部３２の係止面３２ａが被係止部Ｂの被係止面上を摺接しながら当該被係止面を下方に押圧するようにしてロック部３２が固縛位置に配置される。この結果、ロック部３２で被係止部Ｂを強固に係止することができ、これによって基台Ａ上に載置物を安定な状態で固縛することができる。
【００３３】
ところで、このようにして被係止部Ｂをツイストロック３によって固縛する際において、ロック部３２の係止面３２ａと被係止部Ｂの被係止面との間の隙間の誤差や、係止面３２ａや被係止面の凹凸などによって、両者に大きな抵抗が作用してロック部３２が回動途中の位置でその回動が規制されることがある。
【００３４】
この場合、本発明のツイストロック装置１では、バネ部材４の付勢力に抗する力で操作レバー５を回動させれば、軸部３１をバネ部材４の付勢力に抗して上方にスライドさせることができ、これに伴ってロック部３２の係止面３２ａを被係止面から離間する方向に移動させることができる。これにより両者の抵抗を緩和することができてロック部３２の途中位置からの回動が可能になり、この結果ロック部３２を適正な固縛位置に配置することができる。
【００３５】
このようにツイストロック装置１を構成することで、ロック部３２と被係止面との間の隙間の誤差や、係止面３２ａや被係止面に凹凸などが多少あっても、これを吸収しながらロック部３２を正規の固縛位置に確実に配置させることができ、これにより作製精度の緩和を図りつつ基台上に載置物を安定的に固縛することができる。
【図面の簡単な説明】
【００３６】
【図１】本発明のツイストロック装置１の構成を示す一部破断の正面図である。
【図２】ツイストロックの構成を示す正面図である。
【図３】ツイストロックの構成を示す側面図である。
【符号の説明】
【００３７】
１  ツイストロック装置
２  ボス
３  ツイストロック
３１  軸部
３２  ロック部
４  バネ部材
Ａ  基台
Ｂ  被係止部
【図１】
2006111078.tif 000003
【図２】
2006111078.tif 000004
【図３】
2006111078.tif 000005